(57)【要約】ディスクを挿入又は取り外すために壁に開口部（５）を持つ筐体（１）を有する、ディスク装填機構を持つディスクドライブユニット。ディスクドライブ（９）は前記筐体に収容される。ディスクを前記筐体の開口部を通して受容し、該ディスクを前記ディスクドライブとの係合に導くため、装填機構は滑動部（６）を有する。該滑動部は、ディスクを受容するための第１の位置と、前記開口部をカバーし前記ディスクドライブを前記ディスクに係合させるための第２の位置との間で、前記筐体及び前記ディスクドライブに対して滑動可能である。前記滑動部は、開口部が設けられた筐体の壁に略沿って滑動可能であり、前記筐体の開口部を通して前記ディスクを受容するように構成される。このことは、ディスクドライブユニットの堅固で小型な構造に導く。
2006505084.tif 000002
【特許請求の範囲】
【請求項１】
ディスク装填機構を持つディスクドライブユニットであって、
筐体であって、前記筐体にディスクを挿入するための又は前記筐体からディスクを取り外すための開口部を前記筐体の壁に持つ筐体と、
前記筐体に収容され、ディスクからデータを読み取る又はディスクにデータを書き込むことを可能とするために前記ディスクを係合し回転させるように構成されたディスクドライブと、
前記筐体の前記開口部を通してディスクを受容し、前記ディスクを前記ディスクドライブとの係合に導くための、及びその逆のための装填機構とを有し、前記装填機構は、
ディスクを受容するための第１の位置と、前記開口部をカバーし前記ディスクドライブが前記ディスクと係合することを可能とする第２の位置との間で、前記筐体及び前記ディスクドライブに対して滑動可能な滑動部を有し、
前記滑動部は、前記開口部が設けられた前記筐体の壁に略沿って滑動可能であり、前記筐体の前記開口部を通して前記ディスクを受容するように構成されるディスクドライブユニット。
【請求項２】
前記滑動部は、前記滑動部に前記ディスクを受容するためのトレイを有し、前記トレイは、底部と前記筐体の隣接する壁に接して密封する垂直な壁とを持つ、請求項１に記載のディスクドライブユニット。
【請求項３】
前記トレイの前記底部は、前記ディスクへのアクセスを得るための、閉じることが可能な開口部を備える、請求項２に記載のディスクドライブユニット。
【請求項４】
前記滑動部の前記トレイは、前記開口部を持つ前記筐体の壁の内側に沿って、前記筐体内を滑動可能に誘導される、請求項２又は３に記載のディスクドライブユニット。
【請求項５】
前記滑動部及び前記ディスクドライブは、前記ディスクドライブのシャフトを前記ディスクとの係合へ導き、及び前記係合から脱するように、前記滑動部の滑動移動の間に相対運動を実現するように結合されて動作する、請求項１乃至４のいずれか一項に記載のディスクドライブユニット。
【請求項６】
前記滑動部及び前記ディスクドライブは、動作機構を通して機構的に結合される、請求項５に記載のディスクドライブユニット。
【請求項７】
前記動作機構は、前記滑動部及び前記ディスクドライブのうちの一方に少なくとも１つの溝を有し、前記溝は主に前記滑動部の滑動方向に略平行な方向に延在し、前記動作機構は更に、前記滑動部及び前記ディスクドライブのうちの他方において、前記相対運動を実現するため前記溝へ係合するように構成された係合部材を有する、請求項６に記載のディスクドライブユニット。
【請求項８】
前記ディスクドライブは、前記開口部に最も近い前記ディスクドライブの側における軸であって、前記滑動部の移動の方向に略垂直に且つ前記ディスクドライブに略平行に延在する軸のまわりにピボット回転可能である、請求項６又は７に記載のディスクドライブユニット。
【請求項９】
前記滑動部は手動で滑動可能である、請求項８に記載のディスクドライブユニット。
【請求項１０】
前記滑動部は、前記筐体の外部の誘導部において誘導され、前記誘導部は好ましくは、前記開口部を持つ前記壁に隣接する前記筐体の壁に配置され、前記滑動部の移動の方向に平行に延在する、請求項９に記載のディスクドライブユニット。
【請求項１１】
前記滑動部は、前記滑動部が前記第２の位置にあるときに、前記筐体の壁における前記開口部をカバーするような大きさにされたカバーを有し、前記カバーは、好ましくは前記筐体の外部において、前記開口部を含む前記筐体の壁に沿って滑動する、請求項１乃至１０のいずれか一項に記載のディスクドライブユニット。
【請求項１２】
前記カバー及びトレイは、互いに略隣接して配置される、請求項４又は１１に記載のディスクドライブユニット。
【請求項１３】
前記カバーは、ディスプレイ又はキー等のような、前記ディスクドライブユニットの操作手段を備え、前記カバーと前記筐体との間に電気的な結合がある、請求項１１又は１２に記載のディスクドライブユニット。
【請求項１４】
前記カバーは、前記カバーが前記第２の位置にあるときに、ディスプレイ又はキー等のような、前記ディスクドライブユニットの操作手段をカバーするように構成される、請求項１１乃至１３のいずれか一項に記載のディスクドライブユニット。
【請求項１５】
モバイル電話のような携帯型のハンドヘルド装置に組み込まれた、請求項１乃至１４のいずれか一項に記載のディスクドライブユニット。
【請求項１６】
開くことが可能なカートリッジに収容されたディスクを用いて利用されることを意図された、請求項１乃至１５のいずれか一項に記載のディスクドライブユニットであって、前記カートリッジを配置及び／又は開く手段を有するディスクドライブユニット。
【発明の詳細な説明】
【技術分野】
【０００１】
本発明は、ディスク装填機構を持つディスクドライブユニットに関し、より詳細には、
筐体であって、前記筐体にディスクを挿入するための又は前記筐体からディスクを取り外すための開口部を前記筐体の壁に持つ筐体と、
前記筐体に収容され、ディスクからデータを読み取る又はディスクにデータを書き込むことを可能とするために前記ディスクを係合し回転させるように構成されたディスクドライブと、
前記筐体の前記開口部を通してディスクを受容し、前記ディスクを前記ディスクドライブとの係合に導くための、及びその逆のための装填機構とを有し、前記装填機構は、
ディスクを受容するための第１の位置と、前記開口部をカバーし前記ディスクドライブが前記ディスクと係合することを可能とする第２の位置との間で、前記筐体及び前記ディスクドライブに対して滑動可能な滑動部を有するディスクドライブユニットに関する。
【背景技術】
【０００２】
ディスク装填機構を持つディスクドライブユニットは、とりわけオーディオ、ビデオ及びコンピュータ装置において広く利用されている。これらの装置のほとんどは、据え置き型の装置である。これらの据え置き型の装置のディスク装填機構は、引き出し装置（drawer）の形をとる滑動部を含む。前記引き出し装置は、ディスクが前記引き出し装置に配置されることができるようにするために筐体から突出した第１の位置と、開口部を閉じ前記ディスクドライブが前記ディスクを回転させることを可能とするために前記引き出し装置が後退した第２の位置とを持つ。かようなディスク装填機構の例はドイツ国特許出願公開DE-A-3443070に開示されている。
【発明の開示】
【発明が解決しようとする課題】
【０００３】
上述したようなディスク装填機構は比較的壊れやすいため、これらの機構はモバイル用途、とりわけ小型装置においては非常に適してはいない。かような小型装置の引き出し装置は更に繊細となり得、電話等のような、かようなモバイル装置の輸送や取り扱いによる損傷のより大きなリスクがある。
【０００４】
本発明の目的は、ディスク装填機構を持つ新たなディスクドライブユニットを提供することにある。
【課題を解決するための手段】
【０００５】
本目的を達成するため本発明は、装填機構が、前記開口部が設けられた前記筐体の壁に略沿って滑動可能であり、前記筐体の前記開口部を通して前記ディスクを受容するように構成される滑動部を有するディスクドライブユニットを提供する。
【０００６】
本発明の特徴のため、前記滑動部は該滑動部の第１の位置即ち開いた状態において前記筐体から垂直に突出しない。これにより前記滑動部に対する損傷のリスクを低減させる。このことは前記ディスクドライブユニットを、モバイル型及び／又はハンドヘルド型装置における利用のためにより適したものとする。
【０００７】
前記滑動部は、前記滑動部に前記ディスクを受容するためのトレイを有し、前記トレイは、底部と前記筐体の隣接する壁に接して密封する垂直な壁とを持つことが好ましい。
【０００８】
とりわけ所謂スモール・フォーム・ファクタ光（ＳＦＦＯ）ディスクドライブに関する場合、前記ディスクドライブの読み取り／書き込みヘッドの動作に悪影響を与え得る埃又は他の汚染物の筐体内への侵入を、前記滑動部のトレイの当該密封が制限する。
【０００９】
一実施例においては、前記滑動部及び前記ディスクドライブは、前記ディスクドライブのシャフトを前記ディスクとの係合へ導き、及び前記係合から脱するように、前記滑動部の滑動移動の間に相対運動を実現するように結合されて動作する。単純な実施例においては、前記滑動部及び前記ディスクドライブは、動作機構を通して機構的に結合される。この一実施例においては、前記動作機構は、前記滑動部及び前記ディスクドライブのうちの一方に少なくとも１つの溝を有し、前記溝は前記滑動部の滑動方向に略平行な方向に対してわずかにずれており、前記動作機構は更に、前記滑動部及び前記ディスクドライブのうちの他方において、前記相対運動を実現するため前記溝へ係合するように構成された係合部材を有する。
【００１０】
このようにして、ディスクドライブの非常に単純な機構的な動作が得られる。この機構的な係合は、前記ディスクドライブの並進運動又はピボット運動に関する。
【００１１】
単純な実施例においては、前記滑動部は手動で滑動可能であり、ここで前記滑動部は例えば、前記筐体の外部の誘導部において誘導され、前記誘導部は好ましくは、前記開口部を持つ前記壁に隣接する前記筐体の壁に配置され、前記滑動部の移動の方向に平行に延在することが更に可能である。このようにして、前記滑動部が手動で容易に操作可能となり、この構造は前記装填機構の小さな構造高さにも導き得る。
【００１２】
特定の実施例においては、前記滑動部は、前記滑動部が前記第２の位置にあるときに、前記筐体の壁における前記開口部をカバーするような大きさにされたカバーを有し、前記カバーは、好ましくは前記筐体の外部において、前記開口部を含む前記筐体の壁に沿って滑動する。このとき、前記カバーと前記トレイは互いに略隣接して配置される。本実施例においては、前記カバーが、ディスプレイ又はキー等のような、前記ディスクドライブユニットの操作手段を備え、前記カバーと前記筐体との間に電気的な結合がある場合に有利である。この結果、前記カバー又は前記開口部による操作手段の配置のために前記筐体の壁のエリアが無駄にならない。前記カバーが前記第２の位置にあるときに、ディスプレイ又はキー等のような、前記ディスクドライブユニットの操作手段をカバーするように前記カバーが構成される場合、空間を無駄にすることの更なる削減が達成される。
【００１３】
本発明の更なる詳細及び利点は、例として本発明の実施例を模式的に示す以下の図の説明において説明される。
【発明を実施するための最良の形態】
【００１４】
図、とりわけ図１乃至３は、本発明によるディスクドライブユニットの実施例を組み込んだ、モバイル電話又はＰＤＡ等のような電子モバイル装置を示す。前記装置／ディスクドライブユニットは、上壁２、横壁３及び底壁４を持つ筐体１を有する。
【００１５】
本例において、ディスクＡを前記ディスクドライブにおいて利用するために前記筐体に挿入するための開口部５が上壁２に備えられる。
【００１６】
図示された実施例においては、ディスクＡは好ましくは、ディスクＡの動作に影響を与え得る埃、引っ掻き傷又は他の周囲の影響から該ディスクＡを保護するためのカートリッジＢの中に収容された光ディスクである。しかしながら本発明はまた、カートリッジのない光ディスク又は光ディスクではないディスクと協働することにも適している。
【００１７】
前記ディスクドライブユニットの装填機構は、本例の場合においてはトレイ７及びカバー８を含む滑動部６を有する。トレイ７は、筐体の上壁２における開口部５を通してディスクＡ又はディスクカートリッジＢを受容するように構成される。滑動部６は、第１の位置と第２の位置との間で、筐体１の上壁２に対して滑動可能である。前記第１の位置は、ディスクカートリッジＢを挿入又は取り除くために、トレイ７が筐体の壁２における開口部５と略整合する位置である。前記第２の位置は、トレイ７及びトレイ７に収容されたディスクＡが、ディスクドライブ９及びとりわけディスクドライブ９のドライブシャフト１０と整合する位置である。前記第２の位置において、カバー８は筐体の壁２における開口部５をカバーする。
【００１８】
滑動部６のトレイ７は、底部１１及び４つの垂直な壁１２を有する。垂直な壁１２は、埃が筐体１に侵入することを防ぐため又は少なくとも十分な程度に制限するために、該垂直な壁１２の上端で筐体の壁２の内側を封じるような大きさにされる。トレイ７の底部１１は、ディスクドライブ９とディスクＡとの協働、とりわけドライブシャフト１０とディスクＡの穴との係合を可能とし、ディスクドライブ９の読み取り／書き込みヘッド（図示されていない）がディスクＡのデータ面エリアと協働するようにするためのアクセス開口部１３を持つ。この目的のため、カートリッジＢもまた、（閉じることが可能な）アクセス開口部等を持つ。前記ディスクドライブユニットは、トレイ７の底部１１におけるアクセス開口部１３及びディスクカートリッジＢにおけるアクセス開口部の開閉のための手段を備えても良い。通常どおり、前記ディスクドライブにおいて前記カートリッジを配置し、正しく配置されたカートリッジを検出するための手段を備える。更に前記ディスクドライブユニットは、前記ディスクドライブのモータが回転している限り、滑動部６を前記第２の位置に固定するための手段を有しても良い。
【００１９】
ディスクドライブ９のドライブシャフト１０のディスクＡが、ハブ又は開口部と係合及び離脱すること可能とするために、ディスクドライブ９は滑動部６に対し、とりわけ滑動部６の移動の方向に対して略垂直な方向に移動可能である。ディスクドライブ９の移動は、平行移動、ピボット回転又は組み合わせられた移動であっても良い。図示された実施例においては、ディスクドライブ９は、筐体の壁２の開口部５に最も近いディスクドライブの側に備えられたピボット軸１４のまわりにピボット回転可能である。単純な実施例においては、ディスクドライブ９及び／又はトレイ７は、滑動部６の滑動する方向に略平行だがわずかにずれた方向に主に延在する少なくとも１つのガイド溝（図示されていない）を備えられる。トレイ７及びディスクドライブ９のうちの他方は、前記ガイド溝に係合するように構成された、ピン又は何らかの他の突起物であっても良い係合部材を有する。
【００２０】
前記ガイド溝の方向が滑動部６の移動の方向に対してわずかに角度を持つ場合には、滑動部６が第１の装填位置（図１）にあるとき、滑動部６の第２の装填位置（図２）への滑動運動の間、前記係合部材とガイド溝との係合が、ピボット軸１４のまわりのディスクドライブ９のピボット運動を引き起こす。これらの運動は、図２において矢印で示されている。勿論、他の機構的な結合手段が想像可能であり、ディスクドライブ９がより高価な装置において電気的に移動させられても良い。代替として前記滑動部は、前記ディスクを前記ディスクドライブのドライブシャフトとの係合に導く、又は該係合から脱するようにする組み合わせられた運動を実行しても良い。
【００２１】
図４は、カバー８が、滑動部６の移動の方向に平行に延在するカバー８の側面にガイド縁１５を備えた場合を示す。ガイド縁１５は、筐体１の横壁３におけるガイド溝１７に係合するための低部の隆起１６を有しても良い。このようにして、滑動部６の手動で駆動される滑動移動を可能とし誘導するために、滑動部６のカバー８は単純な方法で適切に誘導される。加えて又は代替として、トレイ７が筐体１の上壁２又は横壁３と協働するガイド手段をも含んでも良い。縁１５は、手で滑動部６を移動させるために、滑動部６を把持するためにも利用される。
【００２２】
カバー８の上面１８は、キー、ディスプレイ又は他の手段のような、前記装置の操作手段を収容するために利用されても良い。これらの操作手段が筐体１との電気的又は電子的な結合を必要とする場合、例えば柔軟なワイヤ又は無線リンク等によって、滑動部６と筐体１との間に電気的又は電子的な結合が備えられても良い。更にカバー８は、滑動部６の前記第１の位置において、キー、ディスプレイ又は他の操作手段のような、前記装置の操作手段上を滑動させられるように構成されても良い。このようにして、筐体の上壁２及びカバー８の表面エリアの効率的な利用が為される。
【００２３】
以上から、本発明が単純で、信頼性が高く、堅固で小型な装填機構を持つ、効果的に密封されるディスクドライブユニット及び装置を提供することは明らかである。
【００２４】
本発明は、図において示されたような上述の実施例に限定されるものではなく、本発明の範囲から逸脱することなく幾つかの方法により変更させられることができる。前記ディスクは、例えば磁気的にのように、他の手段によって読み取り可能／書き込み可能であっても良い。前記滑動部は他の方法で誘導されても良く、略前記筐体内に配置されても良い。従って、前記ディスクドライブユニットはカートリッジのないディスクと協働するように構成されても良い。
【図面の簡単な説明】
【００２５】
【図１】本発明によるディスクドライブユニットの実施例を有する装置の非常に模式的な縦方向の断面図である。
【図２】別の位置における、本発明によるディスクドライブユニットの実施例を有する装置の非常に模式的な縦方向の断面図である。
【図３】別の位置における、本発明によるディスクドライブユニットの実施例を有する装置の非常に模式的な縦方向の断面図である。
【図４】図１乃至３の装置からの滑動部を示す、上からの斜視図である。
【図１】
2006505084.tif 000003
【図２】
2006505084.tif 000004
【図３】
2006505084.tif 000005
【図４】
2006505084.tif 000006
【国際調査報告】
2006505084.tif 000007
2006505084.tif 000008